(57)【要約】      （修正有）【課題】植物の根元側周辺に水分を保つことができるとともに、植物の周囲に雑草が生えるのを防止し、かつ草刈機による植物の切断、傷付けを防止できるうえ、防虫効果にも優れた植物の成育を管理できる植物の成育管理装置を提供する。【解決手段】植物Ｐの根元側周サイズより十分に大きな貫通孔１２を略中央位置に設けて植物Ｐの根元側を貫通させ、植物Ｐの周囲の地面ＧＬを覆うように広がって形成された地面被覆部１４とを設ける。さらに、植物Ｐの根元側の周囲で保水材２６を充填して保持する上下面を開口したケース状の空間２８を形成するように、地面被覆部１４の貫通孔１２の縁から上方に一体的に立ち上がり連設された保水材収容筒部１６と、を備えて植物の成育管理装置１０を形成する。【選択図】図２
0003170682.tif 000002
【実用新案登録請求の範囲】
【請求項１】
植物の根元側周サイズより十分に大きな貫通孔を略中央位置に設けて植物の根元側を貫通させ、植物の周囲の地面を覆うように広がって形成された地面被覆部と、
植物の根元側の周囲で保水材を充填して保持する上下面を開口したケース状の空間を形成するように、地面被覆部の貫通孔の縁から上方に一体的に立ち上がり連設された保水材収容筒部と、を備えたことを特徴とする植物の成育管理装置。
【請求項２】
保水材収容筒部は、横断面形状が上端側に向けて次第に小さくなるテーパ筒形状に形成されたことを特徴とする請求項１記載の植物の成育管理装置。
【請求項３】
地面被覆部は略中央位置に貫通孔を設けた板状部材で形成され、
該板状部材の貫通孔縁に対して、中空筒からなる保水材収容部の周壁の下端側を係着、離脱可能に組み付けたことを特徴とする請求項１又は２記載の植物の成育管理装置。
【請求項４】
地面被覆部及び保水材収容部は、周方向に分割された複数の部材を分離、連結自在に連結して構成されることを特徴とする請求項１ないし３のいずれかに記載の成育管理装置。
【請求項５】
地面被覆部を地面に固定する固定部材を有することを特徴とする請求項１ないし４のいずれかに記載の植物の成育管理装置。
【考案の詳細な説明】
【技術分野】
【０００１】
本考案は、植物の根元側の周囲に設置され植物を保護しながら成育管理を行える植物の成育管理装置に関する。
【背景技術】
【０００２】
植物を栽培するには、温度や水分の管理、及び雑草の除去、防虫等、様々な点に注意する必要がある。従来、植物を栽培する地面に敷き藁等を敷くことにより、地面の乾燥を防いで適度な水分を保持するとともに、地面の急激な温度変化を防いで地面の温度を安定させる管理方法が知られている。また、雑草は、定期的に除去する必要があり、近似では、エンジン等の動力で刃を高速回転させて草を刈る草刈機が使用される場合が多いが、樹木等の根元に草刈機の刃が当たって樹木を切断したり、傷付けてしまう問題があった。従来、樹木などの根元付近の雑草対策、及び樹木等を草刈機の刃から保護するための技術が提案されている。例えば、特許文献１には、樹木などの根元が挿通できる孔２を中央に設け、前記根元の周辺地表を被覆できる可撓性被覆体１を備えるとともに、この可撓性被覆体１には外部から中央の孔２に通ずる差込用切込３を設けて成る根元用雑草成育防止カバーが開示されている。根元用雑草成育防止カバーは、樹木などの根元周辺の地表に雑草が生育しないようにして、草刈機の使用を効率化するとともに、樹木などの根元の保護を図るものであった。なお、符号は特許文献１のものである。
【先行技術文献】
【特許文献】
【０００３】
【特許文献１】特開２０００−６０２３０号公報
【考案の概要】
【考案が解決しようとする課題】
【０００４】
従来のように、植物の根元に単に敷き藁等を敷くだけでは、風が吹くと藁が飛散してしまい、保温、保水効果が機能しなくなるので、敷き藁の監視や、藁を敷きなおす作業等が必要であり、煩雑で重労働となる問題があった。また、特許文献１の根元用雑草成育防止カバーでは、雑草が生育しないように樹木の根元側と可撓性被覆体１の中央の孔１の縁との間にほとんど隙間がないように形成して、地面を覆っているので水が地面に直接には行かず植物の成育に障害が生じたり、水分管理が煩雑となるおそれがあった。特に、植物が苗・苗木の時期には、温度、水分の条件は生育に影響を及ぼしやすく、管理を怠ると枯らしてしまいやすい問題があった。
【０００５】
本考案は、上記従来の課題に鑑みてなされたものであり、その一つの目的は、植物の根元側周辺に水分を保つことができるとともに、雑草が生育するのを防止し、草刈機による植物の切断、傷付けを防止できるうえ、防虫効果にも優れた植物の成育を管理できる植物の成育管理装置を提供することにある。
【課題を解決するための手段】
【０００６】
上記課題を解決するために本考案は、植物Ｐの根元側周サイズより十分に大きな貫通孔１２を略中央位置に設けて植物Ｐの根元側を貫通させ、植物Ｐの周囲の地面ＧＬを覆うように広がって形成された地面被覆部１４と、植物Ｐの根元側の周囲で保水材２６を充填して保持する上下面を開口したケース状の空間２８を形成するように、地面被覆部１４の貫通孔１２の縁から上方に一体的に立ち上がり連設された保水材収容筒部１６と、を備えたことを特徴とする植物の成育管理装置１０から構成される。
【０００７】
また、保水材収容筒部１６は、横断面形状が上端側に向けて次第に小さくなるテーパ筒形状に形成されたこととしてもよい。
【０００８】
また、地面被覆部１４は略中央位置に貫通孔１２を設けた板状部材１８で形成され、該板状部材１８の貫通孔１２縁に対して、中空筒（３０）からなる保水材収容部１６の周壁の下端側を係着、離脱可能に組み付けたこととしてもよい。
【０００９】
また、地面被覆部１４及び保水材収容部１６は、周方向に分割された複数の部材３２ａ、３２ｂを分離、連結自在に連結して構成されることとしてもよい。
【００１０】
また、地面被覆部１４を地面ＧＬに固定する固定部材（４６）を有することとしてもよい。
【考案の効果】
【００１１】
本考案の植物の成育管理装置によれば、植物の根元側周サイズより十分に大きな貫通孔を略中央位置に設けて植物の根元側を貫通させ、植物の周囲の地面を覆うように広がって形成された地面被覆部と、植物の根元側の周囲で保水材を充填して保持する上下面を開口したケース状の空間を形成するように、地面被覆部の貫通孔の縁から上方に一体的に立ち上がり連設された保水材収容筒部と、を備えた構成であるから、藁、籾殻、乾草等の保水材を植物の周囲に確実に保持して、該保水材が風で飛ばされたり雨で流されたりするのを確実に防止して、植物に必要な水分を常に保持し乾燥を防止できる。同時に、保水材収容筒部が植物の周囲を囲んで保護しているので、周りの地面の雑草を除草する際などに草刈機の刃が植物に当たるのを防いで、植物の切断や傷付きを防止できる。さらに、地面から立ち上がる防虫壁となって植物に害虫がつくのを防止できる。さらに、地面被覆部が地面を覆っているので植物の周囲の地面に雑草が生えるのを防止できる。また、地面の温度の安定的に維持できる。その結果、植物を適切に管理、保護しながら好条件で成育でき、苗、苗木等の成育にも実用的に利用できる。
【００１２】
また、保水材収容筒部は、横断面形状が上端側に向けて次第に小さくなるテーパ筒形状に形成された構成とすることにより、設置状態での安定性がよいとともに、保水材収容筒部の上端側の開口が狭いので、内部の空間に収容した保水材等が強風等で飛ばされにくく、確実に保水材を保水材収容筒部の空間内に保持することができる。また、テーパ形状により同一形状の複数のものを重ねることができるので、保管収納する際に場所をとらない。
【００１３】
また、地面被覆部は略中央位置に貫通孔を設けた板状部材で形成され、該板状部材の貫通孔縁に対して、中空筒からなる保水材収容部の周壁の下端側を係着、離脱可能に組み付けた構成とすることにより、地面被覆部と保水材収容部とを別部材とすることで、製造しやすく、保管も便利で、持ち運びも便利である。また、地面被覆部の広さや、保水材収容部の周壁の高さが異なるものを自由に組み合わせて、植物の成長や植物の種類等に適した条件で成育管理を行うことができる。
【００１４】
また、地面被覆部及び保水材収容部は、周方向に分割された複数の部材を分離、連結自在に連結して構成されることにより、地面被覆部及び保水材収容部を分割できるので植物を傷つけることなく簡便に取り外すことができる。さらに、取り外した成育管理装置は再び使用することができ、経済的で、農業廃棄物を低減し、使い勝手も良い。また、複数の部材に分割して、持ち運び等が便利である。
【００１５】
また、地面被覆部を地面に固定する固定部材を有する構成とすることにより、例えば、強風等で成育管理装置自体が所定の設置位置からずれたり、煽られたりするのを確実に防止できる結果、収容している藁等の保水材が外部に飛散したり、保水材収容筒部が植物を傷付けたりするのを防止できる。
【図面の簡単な説明】
【００１６】
【図１】本考案の第１の実施形態に係る植物の成育管理装置の斜視説明図である。
【図２】図１の植物の成育管理装置の縦断面図である。
【図３】図１の植物の成育管理装置の平面図である。
【図４】図１の植物の成育管理装置の分解斜視図である。
【図５】図１の植物の成育管理装置の装着説明図である。
【図６】本考案の第２の実施形態に係る植物の成育管理装置の斜視説明図である。
【図７】図６の植物の成育管理装置の縦断面図である。
【図８】本考案の第３の実施形態に係る植物の成育管理装置の分解斜視説明図である。
【図９】本考案の第４の実施形態に係る植物の成育管理装置の分解斜視説明図である。
【考案を実施するための形態】
【００１７】
以下、添付図面を参照しつつ本考案の植物の成育管理装置の実施の形態について説明する。本考案の植物の成育管理装置は、果樹、樹木、野菜等の植物を栽培する際に、植物の根元側に設置されて植物の保護、及び保水材の保持を行いながら成育管理を行えるものである。図１ないし図５は、本考案に係る植物の成育管理装置の一実施形態を示している。図１に示すように、本実施形態において、植物の成育管理装置１０は、貫通孔１２を設けた地面被覆部１４と、保水材収容筒部１６と、を含む。本実施形態では、植物の成育管理装置１０の適用対象となる植物Ｐは、例えば、グミ、キンカン、ブルーベリー等の果樹の苗木に適用される。なお、植物Ｐは、果樹に限らず、野菜、たばこ、花卉類等の農作物、その他任意の植物の成育に幅広く利用できる。
【００１８】
図１、図２、図３に示すように、地面被覆部１４は、略中央位置に植物Ｐの根元側を貫通させる貫通孔１２が設けられ、貫通孔１２に植物の根元側を貫通させた状態で植物Ｐの周囲の地面ＧＬを覆う被覆手段である。地面被覆部１４は、ある程度の範囲に亘って地面を覆うことで植物の周囲に雑草が生えるのを防止する。また、地面被覆部１４は、後述の保水材収容筒部１６を地面上で安定的に支持する安定支持部としても機能する。本実施形態では、地面被覆部１４は、例えば、プラスチック等の合成樹脂で形成された平面視円形状の板状部材１８からなり、板状部材１８の円形略中心位置に同心で円形状の貫通孔１２が形成されている。板状部材１８からなる地面被覆部１４は、貫通孔１２の縁の周囲の円形部分が被覆本体部分から上方に向けて段上がり状に一体的に突出して段付き部２０が形成されている。すなわち、段付き部２０は、貫通孔１２の径より若干大きい径で円形短筒状に立ち上がった短筒状周壁２２と、短筒状周壁２２の上端から断面Ｌ字状に水平方向内側に突出して貫通孔１２の縁を形成する段上縁壁２４と、を含む。貫通孔１２の径は、植物Ｐの根元側周サイズより十分に大きく形成されており、貫通孔１２の縁と、該貫通孔１２を貫通する植物Ｐの根元側と、の間には十分な余裕（隙間）が形成されている。なお、地面被覆部１４及び貫通孔１２の大きさや形状は任意でよく、例えば、円形状に限らず、楕円形状、四角形状、六角形状等その他任意の形状でもよい。
【００１９】
図１、図２、図４に示すように、保水材収容筒部１６は、地面被覆部１４の貫通孔１２を貫通した植物Ｐの根元側の周囲で保水材２６を充填して保持する上下面を開口したケース状の空間２８を形成するように、地面被覆部１４の貫通孔１２の縁から上方に一体的に立ち上がり連設された保水材の保持手段である。本実施形態では、保水材収容筒部１６は、例えば、プラスチック等の合成樹脂で形成された中空筒体からなる。図４、図５に示すように、保水材収容筒部１６は、例えば、板状部材１８からなる地面被覆部１４とは別の部材で形成されており、板状部材１８の貫通孔１２の縁に対して中空筒体の下端側を係着、離脱可能に一体的に組み付けられる。具体的には、保水材収容筒部１６は、例えば、横断面形状が円形状であって、下端側から上端側に向けて次第に直線的に小さく形成されて、外形輪郭形状が円錐台形状となる中空のテーパ筒体３０で設けられている。テーパ筒体３０は、上下両面を開口しており、中空の筒内部に保水材２６を保持するケース状の空間２８を形成するように周壁が所定の高さで設けられている。よって、テーパ筒体３０は、その周壁を所定の高さで形成して地面被覆部１４の貫通孔１２の縁からある程度高く立ち上げることにより、植物の根元側の周囲に周壁で連続的に囲まれたケース状の空間２８を形成する。テーパ筒体３０の上端側開口の大きさは、十分に大きな径で設定されている。すなわち、テーパ筒体３０の周壁のいずれの横断面においても、その内壁周サイズが植物Ｐの根元側周サイズより十分に大きく形成されており、該貫通孔を貫通する植物Ｐの根元側との間には十分な余裕（隙間）が形成されている。このテーパ筒体３０の内壁と植物Ｐの根元側との間に形成される隙間が保水材２６を充填し、その充填した状態を保持できるケース状の空間２８となっている。ケース状の空間２８は、植物の根元側周サイズより大きい横断面形状で、かつ保水材を収容する高さの周壁で形成されるテーパ筒体３０で実現されているといえる。テーパ筒体３０は、例えば、下端側の径が板状部材１８の貫通孔１２より若干大きく、かつ短筒状周壁２２の内径より若干小さな径で形成されている。そしてテーパ筒体３０の下端部が板状部材１８に係着した状態では、該テーパ筒体３０の下端部は板状部材の段付き部２０の内側に収容され、貫通孔１２からの抜け止めが規制された状態で嵌合状に係着する。さらに、図２に示すように、テーパ筒体３０の周壁の勾配は、テーパ筒体３０の下端側と板状部材１８とを一体的に係着させ、かつテーパ筒体３０の下端縁及び板状部材１８の下面が地面ＧＬに当着した状態で、テーパ筒体３０の周壁が板状部材１８の貫通孔１２の縁に当接して隙間ができないような勾配角度で設定されており、該係着状態では該板状部材１８の貫通孔１２の縁からテーパ筒体３０の周壁が立ち上がるように設けられている。
【００２０】
図５に示すように、テーパ筒体３０からなる保水材収容筒部１６を、板状部材１８からなる地面被覆部１４と組み付ける場合には、例えば、保水材収容筒部１６の周壁で植物を囲むように所定の位置に配置した状態で、該保水材収容筒部１６の上方側から地面被覆部１４を貫通孔１２を介して遊嵌状に挿し込む。保水材収容筒部１６は上端が小さく形成されているので保水材収容筒部１６の上端と地面被覆部１４の貫通孔１２との位置合わせはある程度ラフでよい。さらに、地面被覆部１４を保水材収容筒部１６の周壁に沿って下方に降下させると、地面被覆部１４の下面が地面に着く状態で、貫通孔１２の縁に保水材収容筒部１６の下端より若干上方側の位置で係着され、保水材収容筒部１６の下端側が地面被覆部１４の貫通孔１２に位置決め状に嵌まり込んで組み付けられる。地面被覆部１４と保水材収容筒部１６とを組み付けた状態では、図１、図２に示すように、例えば、保水材収容筒部１６の下端側から、地面被覆部１４が周方向に連続しかつ外側に向けてフランジ状に突設されており、全体的に縁有り帽子状（ハット状）に形成される。なお、保水材収容筒部１６は、テーパ筒形状に限らず、例えば、下端から上端まで同一系の円筒体で形成してもよい。また、保水材収容筒部１６は、貫通孔１２の形状に応じて、横断面円形状に限らず、例えば、楕円形状、四角形状、六角形状等その他任意の形状でもよい。また、保水材収容筒部１６の周壁の高さは任意でよく、植物の成長段階や種類等に応じて高さが異なる複数の筒体を用意して、それらを自由に交換可能としてもよい。
【００２１】
保水材収容筒部１６に充填する保水材２６としては、例えば、藁、籾殻、乾燥した草等の天然の素材が利用される。基本的には、保水材２６は、保水、保湿して植物を乾燥から防ぐものがあればよく、合成樹脂製の繊維質、スポンジ質等の人工的な素材など任意の保水性素材等でも良い。しかしながら、藁、籾殻、乾燥した草等は、植物の周囲の地面の温度を保つ保温機能を得ることもできる上、時間が経過すると分解して植物の肥料として機能することから、植物の成育を有効に補助できるとともに、別途に廃棄処理しなくて良い点でも有利である。なお、保水材収容筒部１６のケース状の空間２８には、保水材２６だけではなく、植物の肥料等を入れてもよい。
【００２２】
次に本実施形態に係る植物の成育管理装置１０の作用を説明する。図１、図２に示すように、例えば、地面ＧＬに植えたグミ等の植物Ｐの苗木の周囲に植物の成育管理装置１０を設置する。この設置作業は、図５に示すように、テーパ筒体３０をその下端開口を通した状態で周壁が植物の周囲を囲むように置き、板状部材１８をテーパ筒体３０の上端側から貫通孔１２を介して嵌め込むだけでよく、簡単に設置することができる。そして、藁や籾殻等の保水材２６を保水材収容筒部１６のケース状の空間２８に充填して、植物Ｐの根元側の周囲に保水材２６を保持する。例えば、強風が吹いたり、雨が降ったりした場合でも、保水材収容筒部１６により保水材が風によって飛散したり雨によって流されたりするのを確実に保護できるので、藁等の保水材が植物の周囲から低減又は消失してしまうのを防止して、良好な成育環境を維持できる。さらに、地面被覆部１４が植物Ｐの周囲の地面を覆っているので雑草が生えにくい。また、地面被覆部１４の外側の地面に生えた雑草を草刈機等で除草する際には、保水材収容筒部１６により、草刈機等の刃が植物を切断したり傷付けたりするのを防いで植物Ｐを確実に保護することができる。また、保水材収容筒部１６により、害虫等が植物に近付くのを防止できる。したがって、植物の根元側の管理及び保護を行って、良好に植物の成育を行うことができる。なお、例えば、栽培期間が長い果樹等の植物ではなく、比較的栽培期間が短い野菜等の場合には、野菜の収穫後に植物の成育管理装置１０を回収して、再利用することができる。また、上記実施形態では、植物の成育管理装置１０の地面被覆部１４及び保水材収容筒部１６は、プラスチック等の合成樹脂で形成したが、例えば、紙等の生分解性素材で形成してもよい。植物の成育管理装置１０を分解性素材で形成すると、年月が経過した際に最終的に分解されて土にかえり植物の肥料となるので、植物の生育環境にもよく、回収する手間もいらないとともにゴミ等が発生することがない。
【００２３】
次に図６、図７を参照しつつ、本発明の第２の実施形態の植物の成育管理装置１０−２について説明する。上記した第１実施形態と同一構成、同一部材には同一符号を付し、その詳細な説明を省略する。この第２実施形態では、例えば、地面被覆部１４と保水材収容筒部１６とは、分離可能な別々の部材を一体的に組み付ける構成の上記実施形態とは異なって、一つの成型品として一体的に形成されている。本実施形態では、地面被覆部１４は全体的に円形板状に形成されているとともに、貫通孔１２の縁にテーパ筒形状の保水材収容筒部１６の下端が完全に固定されている。本実施形態においても、植物の根元側の周囲への保水材の保持、雑草防止、草刈機からの植物の保護、防虫効果等の上記実施形態同様の作用効果を奏しうる。また、植物の成育管理装置１０を一つの部材として扱えるので、設置、撤去時等の作業工程数が少なく、部品管理等は行いやすい。
【００２４】
次に図８を参照しつつ、本発明の第３の実施形態の植物の成育管理装置１０−３について説明するが、上記実施形態と同一部材には同一符号を付して詳細な説明を省略する。図８に示すように、本実施形態では、地面被覆部１４及び保水材収容部１６は、周方向に分割された複数の部材３２ａ、３２ｂを分離、連結自在に連結して構成されている。図８では、植物の成育管理装置１０は、例えば、平面視円形状の地面被覆部１４及び保水材収容筒部１６の直径位置で切断され周方向に２分割されており、互いに連結されて地面被覆部１４及び保水材収容筒部１６を構成する第１、第２分割部材３２ａ、３２ｂと、それらの第１、第２分割部材３２ａ、３２ｂどうしを連結・分離可能に連結する連結・分離装置３４と、を含む。第１、第２分割部材３２ａ、３２ｂは、それぞれ周方向への連結状態で地面被覆部１４を構成する被覆部要素１４ａ、１４ｂと、保水材収容筒部１６を構成する筒部要素１６ａ、１６ｂと、が一体的に固定されて設けられている。すなわち、地面被覆部１４は、周方向への連結状態で円形板状となり、内側の中央位置に円形状の貫通孔１２を構成する半円形板状の被覆部要素１４ａ、１４ｂに分割されている。同時に、保水材収容筒部１６は、周方向への連結状態で横断面円形状の中空テーパ筒体を構成するような半円テーパ筒状の筒部要素１６ａ、１６ｂに分割されている。連結装置３４は、例えば、コ字状の連結部材３６と、被覆部要素１４ａ、１４ｂの板状本体部分の連結縁端部近傍に設けられて連結部材３６が差し込まれる受穴３８と、を含み、第１、第２分割部材３２ａ、３２ｂを互いに併せた状態で連結部材３６を受穴３８に差込むことで、コ字状の連結部材３６が分割部材３２ａ、３２ｂにかすがい状に跨って着脱自在に連結される。なお、植物の成育管理装置１０の周方向への分割は２分割構成に限らず、３分割以上に構成してもよい。また、分割部材を連結する連結・分離構造３４は、例えば、雌雄のボタン部材による連結構成、雌雄嵌合による連結構成、ピンやボルトナット等による連結構成等、その他任意の分離・連結可能な連結構造でもよい。また、連結構造は、筒部要素１６ａ、１６ｂどうしを連結させる構造でもよい。本実施形態においても、植物の根元側の周囲への保水材の保持、雑草防止、草刈機からの植物の防護、防虫効果等の上記実施形態同様の作用効果を奏しうる。また、本実施形態では、地面被覆部１４及び保水材収容筒部１６が周方向に分割できるので、必要に応じて分離して植物の成育管理装置を植物Ｐの周囲から簡単に離脱させることができるとともに、再び植物の成育管理装置を再利用することができる。
【００２５】
次に図９を参照しつつ、本実施形態に係る植物の成育管理装置の第４の実施形態について説明する。上記実施形態と同一部材には同一符号を付して詳細な説明を省略する。図９に示すように、第４実施形態では、第３の実施形態と同様に、植物の成育管理装置１０は、第１、第２分割部材３２ａ、３２ｂと、それらの第１、第２分割部材３２ａ、３２ｂどうしを連結・分離可能に連結する連結・分離装置３４と、を含む構成であるが、連結・分離装置３４の構造が異なっている。例えば、被覆部要素１４ａ、１４ｂの連結端部において、一方側に周方向に突設された突出片４０と、他方側に凹設され突出片４０を嵌合状に受け入れる受凹部４２と、が設けられている。突出片４０と受凹部４２には、それらの嵌合状態で板面を垂直方向に同時に貫通するように連結用孔４４が設けられている。そして、連結装置３４は、この連結用孔４４を貫通して地面に穿刺される杭部材４６を有している。したがって、第１、第２分割部材３２ａ、３２ｂの連結端縁を互いに合わせて、被覆部要素１４ａ、１４ｂの突出片４０と受凹部４２を嵌合させ、杭部材４６を連結用孔４４に貫通させると、第１、第２分割部材３２ａ、３２ｂどうしを連結できる。同時に、杭部材４６は、地面被覆部１４を貫通して地面に固定させることができる。すなわち、杭部材４６は、第１、第２分割部材３２ａ、３２ｂどうしを連結する連結部材と地面被覆部１４を地面に固定する固定部材を兼用している。本実施形態においても、植物の根元側の周囲への保水材の保持、雑草防止、草刈機からの植物の保護、防虫効果等の上記実施形態同様の作用効果を奏しうる。また、地面被覆部１４、保水材収容筒部１６が周方向に分割できるので、必要に応じて周方向に分離して植物Ｐの周囲から簡単に離脱させることができ、取り外した装置を再利用することができる。さらに、地面被覆部１４が杭部材で地面に固定されるので、例えば、強風等で成育管理装置自体が所定の設置位置からずれたり、煽られたりするのを確実に防止できる。その結果、収容している藁等の保水材が外部に飛散したり、保水材収容筒部１６が植物を傷付けたりするのを防止できる。また、分割部材３２ａ、３２ｂを連結する連結部材と地面被覆部１４の地面固定用の固定部材を同一部材で兼用しているので部品点数が少なく、簡単な構造で形成できる。
【００２６】
以上説明した本考案の植物の成育管理装置は、上記した実施形態のみの構成に限定されるものではなく、実用新案登録請求の範囲に記載した本考案の本質を逸脱しない範囲において、任意の改変を行ってもよい。
【産業上の利用可能性】
【００２７】
本考案の植物の成育管理装置は、例えば、果樹、樹木、野菜や花卉等の種々の植物を、露地、ハウスあるいは家庭菜園等で栽培する際に好適に利用できる。
【符号の説明】
【００２８】
１０    植物の成育管理装置
１２    貫通孔
１４    地面被覆部
１６    保水材収容筒部
１８    板状部材
２６    保水材
２８    ケース状の空間
３０    テーパ筒体
３２ａ、３２ｂ    第１、第２分割部材
【図１】
0003170682.tif 000003
【図２】
0003170682.tif 000004
【図３】
0003170682.tif 000005
【図４】
0003170682.tif 000006
【図５】
0003170682.tif 000007
【図６】
0003170682.tif 000008
【図７】
0003170682.tif 000009
【図８】
0003170682.tif 000010
【図９】
0003170682.tif 000011
【手続補正書】
【提出日】平成23年6月11日(2011.6.11)
【手続補正１】
【補正対象書類名】実用新案登録請求の範囲
【補正対象項目名】全文
【補正方法】変更
【補正の内容】
【実用新案登録請求の範囲】
【請求項１】
植物の根元側周サイズより十分に大きな貫通孔を略中央位置に設けて植物の根元側を貫通させ、植物の周囲の地面を覆うように広がって形成された地面被覆部と、
植物の根元側の周囲で保水材を充填して保持する上下面を開口したケース状の空間を形成するように、地面被覆部の貫通孔の縁から上方に立ち上がり連設された保水材収容筒部と、を備えたことを特徴とする植物の成育管理装置。
【請求項２】
保水材収容筒部は、横断面形状が上端側に向けて次第に小さくなるテーパ筒形状に形成されたことを特徴とする請求項１記載の植物の成育管理装置。
【請求項３】
地面被覆部は略中央位置に植物の根元側を貫通させる貫通孔を設けた板状部材で形成され、
板状部材の貫通孔内に保水材収容筒部を貫通させて、板状部材と保水材収容筒部とをハット状に組み付け又は分離可能に設けたことを特徴とする請求項１又は２記載の植物の成育管理装置。
【請求項４】
地面被覆部及び保水材収容筒部は、周方向に分割された複数の部材を分離、連結自在に連結して構成されることを特徴とする請求項１ないし３のいずれかに記載の成育管理装置。
【請求項５】
地面被覆部を地面に固定する固定部材を有することを特徴とする請求項１ないし４のいずれかに記載の植物の成育管理装置。
【手続補正２】
【補正対象書類名】明細書
【補正対象項目名】０００６
【補正方法】変更
【補正の内容】
【０００６】
上記課題を解決するために本考案は、植物Ｐの根元側周サイズより十分に大きな貫通孔１２を略中央位置に設けて植物Ｐの根元側を貫通させ、植物Ｐの周囲の地面ＧＬを覆うように広がって形成された地面被覆部１４と、植物Ｐの根元側の周囲で保水材２６を充填して保持する上下面を開口したケース状の空間２８を形成するように、地面被覆部１４の貫通孔１２の縁から上方に立ち上がり連設された保水材収容筒部１６と、を備えたことを特徴とする植物の成育管理装置１０から構成される。
【手続補正３】
【補正対象書類名】明細書
【補正対象項目名】０００８
【補正方法】変更
【補正の内容】
【０００８】
また、地面被覆部１４は略中央位置に植物Ｐの根元側を貫通させる貫通孔１２を設けた板状部材１８で形成され、板状部材１８の貫通孔１２内に保水材収容筒部１６を貫通させて、板状部材１８と保水材収容筒部１６とをハット状に組み付け又は分離可能に設けたこととしてもよい。
【手続補正書】
【提出日】平成23年7月29日(2011.7.29)
【手続補正１】
【補正対象書類名】実用新案登録請求の範囲
【補正対象項目名】請求項３
【補正方法】変更
【補正の内容】
【請求項３】
地面被覆部は略中央位置に植物の根元側を貫通させる貫通孔を設けた板状部材で形成され、
保水材収容筒部は、板状部材とは別体で設けられ、板状部材の貫通孔内に下側から貫通されて上方に立ち上がる中空筒体であって、該貫通孔より大きな筒下端を有する中空筒体からなり、
板状部材の貫通孔内に保水材収容筒部を嵌め込むことにより、板状部材と保水材収容筒部とをハット状に組み付け又は分離可能に設けたことを特徴とする請求項１又は２記載の植物の成育管理装置。
【手続補正２】
【補正対象書類名】明細書
【補正対象項目名】０００８
【補正方法】変更
【補正の内容】
【０００８】
また、地面被覆部１４は略中央位置に植物Ｐの根元側を貫通させる貫通孔１２を設けた板状部材１８で形成され、保水材収容筒部１６は、板状部材１８とは別体で設けられ、板状部材１８の貫通孔１２内に下側から貫通されて上方に立ち上がる中空筒体であって、該貫通孔１２より大きな筒下端を有する中空筒体３０からなり、板状部材１８の貫通孔１２内に保水材収容筒部１６を嵌め込むことにより、板状部材１８と保水材収容筒部１６とをハット状に組み付け又は分離可能に設けたこととしてもよい。